(57)【要約】【課題】所定領域内の対象者に向けて音を伝達すること。【解決手段】信号処理装置１１０と、信号処理装置１１０によって信号処理された音響信号による音を出力する音出力手段１６０と、音出力手段１６０によって出力された音が対象者に伝達されるまでの間に減衰する減衰量の評価基準として利用される情報を取得する評価情報取得手段１７０（１８０、１９０、２００）とを備え、信号処理装置１１０は、評価情報取得手段１７０（１８０、１９０、２００）によって取得された情報を評価基準として、音が対象者に伝達されるまでの間に減衰する周波数帯域毎の音圧レベルの減衰量を評価する減衰量評価部１２５と、減衰量評価部１２５が評価した減衰量を補完すべく、音響信号の周波数帯域毎の音圧レベルを補正する音圧レベル補正部１２６と、音圧レベル補正部１２６が補正した音響信号を音出力手段１６０に出力する音響信号出力部１２７とを有する。【選択図】図２
2011193084.tif 000002
【特許請求の範囲】
【請求項１】
所定領域内の対象者に向けて音を伝達する音声情報伝達システムであって、
音響信号を信号処理する信号処理装置と、当該信号処理装置によって信号処理された音響信号による音を出力する音出力手段と、当該音出力手段によって出力された音が前記対象者に伝達されるまでの間に減衰する減衰量の評価基準として利用される情報を取得する評価情報取得手段とを備え、
前記信号処理装置は、
前記評価情報取得手段によって取得された情報を評価基準として、音が対象者に伝達されるまでの間に減衰する周波数帯域毎の音圧レベルの減衰量を評価する減衰量評価部と、
前記減衰量評価部が評価した減衰量を補完すべく、前記音響信号の周波数帯域毎の音圧レベルを補正する音圧レベル補正部と、
前記音圧レベル補正部が補正した音響信号を前記音出力手段に出力する音響信号出力部と
を有する音声情報伝達システム。
【請求項２】
前記信号処理装置は、
同じ音圧レベルで周波数の異なる複数のテスト音を示す音響信号を前記音出力手段に出力するテスト音響信号出力部
を更に有し、
前記音出力手段は、前記テスト音響信号出力部が出力した音響信号による複数のテスト音を出力し、
前記評価情報取得手段は、前記音出力手段から出力された各テスト音を、前記評価基準として利用される情報として取得し、
前記減衰量評価部は、前記評価情報取得手段によって取得された各テスト音の音圧レベルを評価基準として、音が対象者に伝達されるまでの間に減衰する周波数帯域毎の音圧レベルの減衰量を評価する
請求項１に記載の音声情報伝達システム。
【請求項３】
前記評価情報取得手段は、前記所定領域を撮像した画像を、前記評価基準として利用される情報として取得し、
前記減衰量評価部は、前記評価情報取得手段によって取得された画像に写っている対象者数を評価基準として、音が対象者に伝達されるまでの間に減衰する周波数帯域毎の音圧レベルの減衰量を評価する
請求項１に記載の音声情報伝達システム。
【請求項４】
前記評価情報取得手段は、前記所定領域への入出場者数を、前記評価基準として利用される情報として取得し、
前記減衰量評価部は、前記評価情報取得手段によって取得された入出場者数から推定される前記所定領域内の対象者数を評価基準として、音が対象者に伝達されるまでの間に減衰する周波数帯域毎の音圧レベルの減衰量を評価する
請求項１に記載の音声情報伝達システム。
【請求項５】
前記評価情報取得手段は、前記所定領域又はその近傍に停留する交通機関の運行情報を、前記評価基準として利用される情報として取得し、
前記減衰量評価部は、前記評価情報取得手段によって取得された運行情報から推定される前記所定領域内の対象者数を評価基準として、音が対象者に伝達されるまでの間に減衰する周波数帯域毎の音圧レベルの減衰量を評価する
請求項１に記載の音声情報伝達システム。
【請求項６】
音響信号を信号処理する信号処理装置であって、
音が対象者に伝達されるまでの間に減衰する減衰量の評価基準として利用される情報を取得する評価情報取得手段によって取得された情報を評価基準として、音が対象者に伝達されるまでの間に減衰する周波数帯域毎の音圧レベルの減衰量を評価する減衰量評価部と、
前記減衰量評価部が評価した減衰量を補完すべく、音響信号の周波数帯域毎の音圧レベルを補正する音圧レベル補正部と、
前記音圧レベル補正部が補正した音響信号を音出力手段に出力する音響信号出力部と
を備える信号処理装置。
【請求項７】
音響信号を信号処理する信号処理装置を制御する制御方法であって、
音が対象者に伝達されるまでの間に減衰する減衰量の評価基準として利用される情報を取得する評価情報取得手段によって取得された情報を評価基準として、音が対象者に伝達されるまでの間に減衰する周波数帯域毎の音圧レベルの減衰量を評価する減衰量評価段階と、
前記減衰量評価段階において評価された減衰量を補完すべく、音響信号の周波数帯域毎の音圧レベルを補正する音圧レベル補正段階と、
前記音圧レベル補正段階において補正された音響信号を音出力手段に出力する音響信号出力段階と
を有する制御方法。
【請求項８】
音響信号を信号処理する信号処理装置用のプログラムであって、前記信号処理装置を、
音が対象者に伝達されるまでの間に減衰する減衰量の評価基準として利用される情報を取得する評価情報取得手段によって取得された情報を評価基準として、音が対象者に伝達されるまでの間に減衰する周波数帯域毎の音圧レベルの減衰量を評価する減衰量評価部、
前記減衰量評価部が評価した減衰量を補完すべく、音響信号の周波数帯域毎の音圧レベルを補正する音圧レベル補正部、
前記音圧レベル補正部が補正した音響信号を音出力手段に出力する音響信号出力部
として機能させるプログラム。
【発明の詳細な説明】
【技術分野】
【０００１】
本発明は、音声情報伝達システム、信号処理装置、制御方法、及びプログラムに関する。特に本発明は、所定領域内の対象者に向けて音を伝達する音声情報伝達システム、音響信号を信号処理する信号処理装置、当該信号処理装置を制御する制御方法、並びに当該信号処理装置用のプログラムに関する。
【背景技術】
【０００２】
所定地域や道路等の歩行者等を対象に音声案内や音楽等の音声信号を拡声して放送する音声案内装置において、音声案内等を行う拡声装置の近傍の騒音を検出するマイクロフォンと、拡声装置の不動作時にマイクロフォンによって検出される騒音の大きさに対応して拡声装置の音量を自動的に設定する拡声出力制御手段とを備えた音声案内装置が知られている（例えば、特許文献１参照。）。この装置においては、音声案内エリアの周囲騒音の大きさに応じて、音声案内放送の音量を自動的に可変する。
【先行技術文献】
【特許文献】
【０００３】
【特許文献１】特開平０８−３１７４９７号公報
【発明の概要】
【発明が解決しようとする課題】
【０００４】
特許文献１に記載の音声案内装置によると、音声案内エリアの周囲騒音の大きさに応じて、音声案内放送の音量を自動的に可変する。しかしながら、音は、周波数により吸音率が異なるという特性がある。そのため、拡声装置によって放送される音声案内放送は、周波数により伝搬特性が異なる。特許文献１に記載の音声案内装置は、このような音の特性を考慮したものではないため、音声案内エリアの周囲騒音の大きさに応じて音声案内放送の音量を大きくしたとしても、吸音率の高い周波数領域では音声案内放送が伝わり難くなる。そして、この問題は、音声案内エリアにいる対象者数が多いと、より顕著なものとなる。
【課題を解決するための手段】
【０００５】
上記課題を解決するために、本発明の第１の形態によると、所定領域内の対象者に向けて音を伝達する音声情報伝達システムであって、音響信号を信号処理する信号処理装置と、当該信号処理装置によって信号処理された音響信号による音を出力する音出力手段と、当該音出力手段によって出力された音が対象者に伝達されるまでの間に減衰する減衰量の評価基準として利用される情報を取得する評価情報取得手段とを備え、信号処理装置は、評価情報取得手段によって取得された情報を評価基準として、音が対象者に伝達されるまでの間に減衰する周波数帯域毎の音圧レベルの減衰量を評価する減衰量評価部と、減衰量評価部が評価した減衰量を補完すべく、音響信号の周波数帯域毎の音圧レベルを補正する音圧レベル補正部と、音圧レベル補正部が補正した音響信号を音出力手段に出力する音響信号出力部とを有する。
【０００６】
信号処理装置は、同じ音圧レベルで周波数の異なる複数のテスト音を示す音響信号を音出力手段に出力するテスト音響信号出力部を更に有し、音出力手段は、テスト音響信号出力部が出力した音響信号による複数のテスト音を出力し、評価情報取得手段は、音出力手段から出力された各テスト音を、評価基準として利用される情報として取得し、減衰量評価部は、評価情報取得手段によって取得された各テスト音の音圧レベルを評価基準として、音が対象者に伝達されるまでの間に減衰する周波数帯域毎の音圧レベルの減衰量を評価してよい。
【０００７】
評価情報取得手段は、所定領域を撮像した画像を、評価基準として利用される情報として取得し、減衰量評価部は、評価情報取得手段によって取得された画像に写っている対象者数を評価基準として、音が対象者に伝達されるまでの間に減衰する周波数帯域毎の音圧レベルの減衰量を評価してよい。
【０００８】
評価情報取得手段は、所定領域への入出場者数を、評価基準として利用される情報として取得し、減衰量評価部は、評価情報取得手段によって取得された入出場者数から推定される所定領域内の対象者数を評価基準として、音が対象者に伝達されるまでの間に減衰する周波数帯域毎の音圧レベルの減衰量を評価してよい。
【０００９】
評価情報取得手段は、所定領域又はその近傍に停留する交通機関の運行情報を、評価基準として利用される情報として取得し、減衰量評価部は、評価情報取得手段によって取得された運行情報から推定される所定領域内の対象者数を評価基準として、音が対象者に伝達されるまでの間に減衰する周波数帯域毎の音圧レベルの減衰量を評価してよい。
【００１０】
本発明の第２の形態によると、音響信号を信号処理する信号処理装置であって、音が対象者に伝達されるまでの間に減衰する減衰量の評価基準として利用される情報を取得する評価情報取得手段によって取得された情報を評価基準として、音が対象者に伝達されるまでの間に減衰する周波数帯域毎の音圧レベルの減衰量を評価する減衰量評価部と、減衰量評価部が評価した減衰量を補完すべく、音響信号の周波数帯域毎の音圧レベルを補正する音圧レベル補正部と、音圧レベル補正部が補正した音響信号を音出力手段に出力する音響信号出力部とを備える。
【００１１】
本発明の第３の形態によると、音響信号を信号処理する信号処理装置を制御する制御方法であって、音が対象者に伝達されるまでの間に減衰する減衰量の評価基準として利用される情報を取得する評価情報取得手段によって取得された情報を評価基準として、音が対象者に伝達されるまでの間に減衰する周波数帯域毎の音圧レベルの減衰量を評価する減衰量評価段階と、減衰量評価段階において評価された減衰量を補完すべく、音響信号の周波数帯域毎の音圧レベルを補正する音圧レベル補正段階と、音圧レベル補正段階において補正された音響信号を音出力手段に出力する音響信号出力段階とを有する。
【００１２】
本発明の第４の形態によると、音響信号を信号処理する信号処理装置用のプログラムであって、信号処理装置を、音が対象者に伝達されるまでの間に減衰する減衰量の評価基準として利用される情報を取得する評価情報取得手段によって取得された情報を評価基準として、音が対象者に伝達されるまでの間に減衰する周波数帯域毎の音圧レベルの減衰量を評価する減衰量評価部、減衰量評価部が評価した減衰量を補完すべく、音響信号の周波数帯域毎の音圧レベルを補正する音圧レベル補正部、音圧レベル補正部が補正した音響信号を音出力手段に出力する音響信号出力部として機能させる。
【００１３】
なお、上記の発明の概要は、本発明の必要な特徴の全てを列挙したものではなく、これらの特徴群のサブコンビネーションもまた、発明となり得る。
【発明の効果】
【００１４】
以上の説明から明らかなように、この発明によれば、いずれの周波数帯域の音も同程度の音圧レベルの音を対象者に伝達することができる。
【図面の簡単な説明】
【００１５】
【図１】一実施形態に係る案内放送システム１００の利用環境の一例を示す図である。
【図２】放送装置１１０のブロック構成の一例を示す図である。
【図３】放送装置１１０の動作フローの一例を示す図である。
【図４】放送装置１１０の動作フローの別の一例を示す図である。
【図５】放送装置１１０の動作フローの更に別の一例を示す図である。
【図６】放送装置１１０の動作フローの更に別の一例を示す図である。
【図７】放送装置１１０の動作フローの更に別の一例を示す図である。
【図８】放送装置１１０の動作フローの更に別の一例を示す図である。
【図９】放送装置１１０の動作フローの更に別の一例を示す図である。
【図１０】放送装置１１０の動作フローの更に別の一例を示す図である。
【図１１】第１の旅客数統計情報格納部１１１が格納している情報の一例を示す図である。
【図１２】第２の旅客数統計情報格納部１１２が格納している情報の一例を示す図である。
【図１３】減衰量評価情報格納部１１３が格納している情報の一例を示す図である。
【図１４】放送装置１１０のハードウェア構成の一例を示す図である。
【発明を実施するための形態】
【００１６】
以下、発明の実施の形態を通じて本発明を説明するが、以下の実施形態は特許請求の範囲にかかる発明を限定するものではなく、また実施形態の中で説明されている特徴の組み合わせの全てが発明の解決手段に必須であるとは限らない。
【００１７】
図１は、一実施形態に係る案内放送システム１００の利用環境の一例を示す。案内放送システム１００は、鉄道においては駅構内にいる旅客に列車運行や鉄道利用に関する情報の提供を音声によって行うシステムである。案内放送システム１００は、到着列車の情報や乗換えの情報だけでなく、ダイヤ乱れ時は列車の運行に関する情報を提供する。なお、案内放送システム１００は、この発明における「音声情報伝達システム」の一例であってよい。また、駅構内は、この発明における「所定領域内」の一例であってよい。また、旅客は、この発明における「対象者」の一例であってよい。
【００１８】
案内放送システム１００は、放送装置１１０、複数の軌道回路１３０ａ、ｂ、ｃ、・・・（以下、軌道回路１３０と総称する。）、複数の発車ベル１４０ａ、ｂ、ｃ、・・・（以下、発車ベル１４０と総称する。）、マイクロフォン１５０、複数のスピーカー１６０ａ、ｂ、ｃ、・・・（以下、スピーカー１６０と総称する。）、複数のマイクロフォン１７０ａ、ｂ、ｃ、・・・（以下、マイクロフォン１７０と総称する。）、複数の監視カメラ１８０ａ、ｂ、ｃ、・・・（以下、監視カメラ１８０と総称する。）、自動改札システム１９０、運行管理システム２００、及び通信回線２１０を備える。通信回線２１０は、インターネット等のコンピュータネットワーク、通信事業者のコアネットワーク、及び種々のローカルネットワークを含む。
【００１９】
放送装置１１０は、駅における案内放送の省力化や接客サービスの向上等のために用いられる放送設備である。駅においては、軌道回路１３０の条件や発車ベル１４０の操作等の情報により列車の進入予報やドア閉めの注意を促す放送を行う簡易放送と、個々の列車のデータを持ち、行き先、列車名や種別等の詳しい放送を行う詳細放送とがある。なお、放送装置１１０は、この発明における「信号処理装置」の一例であってよい。
【００２０】
放送装置１１０は、通信回線２１０を介して各軌道回路１３０とそれぞれ電気的に接続されている。軌道回路１３０は、レールを電気回路の一部として利用し、列車の有無を検知したり制御のための情報を伝送したりする装置である。軌道回路１３０は、列車を検知すると、その旨を示す情報信号を放送装置１１０に送信する。
【００２１】
また、放送装置１１０は、通信ケーブルを介して各発車ベル１４０とそれぞれ電気的に接続されている。発車ベル１４０は、駅において乗降中の旅客に列車が発車すること、その他の合図をベル音や音楽によって伝えるためのシステムである。発車ベル１４０は、車掌が乗降場に備え付けのスイッチや携帯しているリモコンによって操作されることにより動作する。発車ベル１４０は、車掌による操作によって動作すると、その旨を示す情報信号を放送装置１１０に出力する。
【００２２】
また、放送装置１１０は、マイクロフォンケーブルを介してマイクロフォン１５０と電気的に接続されている。マイクロフォン１５０は、集音した音を示す音響信号を出力する装置である。マイクロフォン１５０は、アナウンスを行う駅係員によって利用される。マイクロフォン１５０は、駅係員が発声したアナウンスの音声を集音すると、その音声を示す音響信号を放送装置１１０に出力する。
【００２３】
また、放送装置１１０は、スピーカーケーブルを介して各スピーカー１６０とそれぞれ電気的に接続されている。スピーカー１６０は、入力を受け付けた音響信号を物理振動に変えて、音楽や音声等の音を放音する装置である。各スピーカー１６０は、駅の改札内の広場、乗降場への通路、及び乗降場等のコンコース２２０ａ、ｂ、ｃ、・・・（以下、コンコース２２０と総称する。）にそれぞれ設置される。スピーカー１６０は、放送装置１００から出力された音響信号の入力を受け付けると、その音響信号を物理振動に変えて、アナウンスの音声やテスト音を放音する。なお、スピーカー１６０は、この発明における「音出力手段」の一例であってよい。
【００２４】
また、放送装置１１０は、マイクロフォンケーブルを介して各マイクロフォン１７０とそれぞれ電気的に接続されている。マイクロフォン１７０は、集音した音を示す音響信号を出力する装置である。マイクロフォン１７０は、スピーカー１６０が設置されているコンコース２２０に設置される。マイクロフォン１７０が設置される位置は、人の耳の床からの高さと同じくらいの位置になるようにする。マイクロフォン１７０は、音を集音すると、その音を示す音響信号を放送装置１１０に出力する。なお、マイクロフォン１７０は、この発明における「評価情報取得手段」の一例であってよい。以下の説明において、マイクロフォン１７０ａは、スピーカー１６０ａと同じコンコース２２０ａ内に設置されているものとする。また、マイクロフォン１７０ｂは、スピーカー１６０ｂと同じコンコース２２０ｂ内に設置されているものとする。また、マイクロフォン１７０ｃは、スピーカー１６０ｃと同じコンコース２２０ｃ内に設置されているものとする。
【００２５】
また、放送装置１１０は、映像用ケーブルを介して各監視カメラ１８０とそれぞれ電気的に接続されている。監視カメラ１８０は、様々な目的のために監視を行うためのビデオカメラである。監視カメラ１８０は、コンコース２２０に設置される。監視カメラ１８０は、コンコース２２０の様子を撮影すると、その映像を示す映像信号を放送装置１１０に出力する。なお、監視カメラ１８０は、この発明における「評価情報取得手段」の一例であってよい。
【００２６】
また、放送装置１１０は、通信回線２１０を介して自動改札システム１９０と電気的に接続されている。自動改札システム１９０は、鉄道における改札業務を行う自動化機械により構成されるシステムである。自動改札システム１９０は、放送装置１１０から要求があると、自動改札機を利用して駅構内に入場した旅客数の遷移、及び自動改札機を利用して駅構内から出場した旅客数の遷移を示すデータを放送装置１１０に送信する。なお、自動改札システム１９０は、この発明における「評価情報取得手段」の一例であってよい。
【００２７】
また、放送装置１１０は、通信回線２１０を介して運行管理システム２００と電気的に接続されている。運行管理システム２００は、事故その他何らかの原因によって列車ダイヤが乱れたとき、又は乱れる虞のあるとき、計画ダイヤを変更することによって、ダイヤ乱れが拡散するのを防止し、できるだけ速やかに正常ダイヤに戻すことを目的とした管理業務システムである。運行管理システム２００は、放送装置１１０から要求があると、列車の運転状況を示すデータを放送装置１１０に送信する。なお、運行管理システム２００は、この発明における「評価情報取得手段」の一例であってよい。
【００２８】
このように構成された案内放送システム１００において、放送装置１１０は、例えば、列車を検知したことを示す情報信号を軌道回路１３０から受信すると、列車の進入予報を案内するための音声を示す音響信号を生成してスピーカー１６０に出力する。また、放送装置１１０は、例えば、発車ベル１４０が操作されたことを示す情報信号を発車ベル１４０から受信すると、ドア閉めの注意を促すための音声を示す音響信号を生成してスピーカー１６０に出力する。また、放送装置１１０は、マイクロフォン１５０から出力された音響信号の入力を受け付けると、その音響信号を信号処理してスピーカー１６０に出力する。
【００２９】
放送装置１１０は、案内放送を示す音響信号を生成又は信号処理するにあたり、音の周波数帯域毎の音圧レベルの減衰量を計測し、その値に基づいて音響信号の周波数帯域毎の音圧レベルを補正する。
【００３０】
例えば、放送装置１１０は、案内放送を示す音響信号を生成又は信号処理するにあたり、複数のテスト音を示す音響信号をスピーカー１６０ａに出力する。各テスト音は、同じ音圧レベルで周波数の異なる音である。マイクロフォン１７０ａは、スピーカー１６０ａから放音された各テスト音を集音し、その各テスト音を示す音響信号を放送装置１１０に出力する。マイクロフォン１７０ａによって集音されるときの各テスト音の音圧レベルは、スピーカー１６０ａから放音されたときの音圧レベルよりも減衰している。音圧レベルの減衰は、様々な要因によるが、人体に音が吸収されてしまうということが１つの要因として考えられる。また、音は、周波数により吸音率が異なることが知られている。よって、周波数による減衰量の違いは、人数が多いほど顕著なものとなる。
【００３１】
そして、放送装置１１０は、マイクロフォン１７０から出力された音響信号の入力を受け付けると、その音響信号によって示される各テスト音の音圧レベルの減衰量を算出する。そして、放送装置１１０は、算出した各テスト音の音圧レベルの減衰量を、各テスト音の周波数が属する周波数帯域毎の音圧レベルの減衰量として評価する。
【００３２】
そして、放送装置１１０は、評価した減衰量の各値に基づいて、案内放送を示す音響信号を生成又は信号処理する。具体的には、放送装置１１０は、案内放送を示す音響信号の音圧レベルを、周波数帯域毎にそれぞれ増幅する。各周波数帯域に属する音響信号の音圧レベルの増幅値は、評価した周波数帯域毎の音圧レベルの減衰量と同じ値になるようにする。例えば、５００Ｈｚのテスト音の音圧レベルが７０ｄＢから６７ｄＢに減衰している場合、放送装置１１０は、５００Ｈｚ前後の周波数帯域に属する音響信号の音圧レベルを３ｄＢ増幅する。そして、放送装置１１０は、このように音圧レベルを補正した音響信号をスピーカー１６０ａに出力する。
【００３３】
また、放送装置１１０は、案内放送を示す音響信号を生成又は信号処理するにあたり、コンコース２２０内の旅客数を推定し、その人数に基づいて音響信号の周波数帯域毎の音圧レベルを補正する。
【００３４】
例えば、放送装置１１０は、案内放送を示す音響信号を生成又は信号処理するにあたり、監視カメラ１８０から出力された映像信号の入力を受け付ける。そして、放送装置１１０は、入力を受け付けた映像信号を解析し、映像に映っているコンコース２２０内の旅客数を推定する。例えば、放送装置１１０は、監視映像から、予め設定した領域を通過する移動体を検知しカウントすることによって、コンコース２２０内の旅客数を推定する。
【００３５】
また、例えば、放送装置１１０は、案内放送を示す音響信号を生成又は信号処理するにあたり、自動改札システム１９０から送信されたデータを受信する。そして、放送装置１１０は、受信したデータによって示される自動改札機を利用して駅構内に入場した旅客数の遷移、及び自動改札機を利用して駅構内から出場した旅客数の遷移に基づいて、コンコース２２０内の旅客数を推定する。例えば、放送装置１１０は、自動改札機を入出場した旅客数の遷移と、コンコース２２０内の旅客数の遷移との関係を統計した情報を格納しておく。そして、放送装置１１０は、この格納している統計情報と、自動改札システム１９０から受信したデータによって示される実際に自動改札機を入出場した旅客数の遷移とに基づいて、コンコース２２０内の旅客数を推定する。
【００３６】
また、例えば、放送装置１１０は、案内放送を示す音響信号を生成又は信号処理するにあたり、運行管理システム２００から送信されたデータを受信する。そして、放送装置１１０は、受信したデータによって示される列車の運転状況に基づいて、コンコース２２０内の旅客数を推定する。例えば、放送装置１１０は、列車の運転状況と、コンコース２２０内の旅客数の遷移との関係を統計した情報を格納しておく。そして、放送装置１１０は、この格納している統計情報と、運行管理システム２００から受信したデータによって示される現在の列車の運行状況とに基づいて、コンコース２２０内の旅客数を推定する。
【００３７】
また、例えば、放送装置１１０は、監視カメラ１８０によって撮影された映像、自動改札システム１９０から受信したデータによって示される自動改札機を利用して駅構内に入場した旅客数の遷移、及び自動改札機を利用して駅構内から出場した旅客数の遷移、並びに運行管理システム２００から受信したデータによって示される列車の運行状況を複合的に参照し、コンコース２２０内の旅客数を推定するようにしてもよい。
【００３８】
そして、放送装置１１０は、推定したコンコース２２０内の旅客数に基づいて、案内放送を示す音響信号の周波数帯域毎の音圧レベルを補正する。具体的には、放送装置１１０は、ある人数の旅客がコンコース２２０内にいるときの音の周波数帯域毎の音圧レベルの減衰量を統計した情報を格納しておく。そして、放送装置１１０は、この格納している統計情報と、推定したコンコース２２０内の旅客数とに基づいて、案内放送を示す音響信号の周波数帯域毎の音圧レベルを増幅する。そして、放送装置１１０は、このように音圧レベルを補正した音響信号をスピーカー１６０に出力する。
【００３９】
なお、本実施形態においては、説明が煩雑になることを防ぐことを目的として、案内放送システム１００が一の放送装置１１０を備える構成について説明したが、案内放送システム１００は、複数の放送装置１１０を備えてよい。
【００４０】
図２は、放送装置１１０のブロック構成の一例を示す。放送装置１１０は、第１の旅客数統計情報格納部１１１、第２の旅客数統計情報格納部１１２、減衰量評価情報格納部１１３、列車検知信号入力受付部１１４、ベル操作信号入力受付部１１５、案内音声生成部１１６、第１の音響信号入力受付部１１７、テスト音出力部１１８、第２の音響信号入力受付部１１９、映像信号入力受付部１２０、映像信号解析部１２１、入出場者数データ入力受付部１２２、運転状況データ入力受付部１２３、対象者数推定部１２４、減衰量評価部１２５、音圧レベル補正部１２６、及び音響信号出力部１２７を有する。以下、各構成要素の機能及び動作を説明する。
【００４１】
列車検知信号入力受付部１１４は、列車を検知したことを示す情報信号の入力を受け付ける。具体的には、列車検知信号入力受付部１１４は、軌道回路１３０から送信された情報信号の入力を受け付けると、その旨を示すデータを案内音声生成部１１６、テスト音出力部１１８、映像信号入力受付部１２０、入出場者数データ入力受付部１２２、及び運転状況データ入力受付部１２３に送る。
【００４２】
ベル操作信号入力受付部１１５は、発車ベル１４０が操作されたことを示す情報信号の入力を受け付ける。具体的には、ベル操作信号入力受付部１１５は、発車ベル１４０から出力された情報信号の入力を受け付けると、その旨を示すデータを案内音声生成部１１６、テスト音出力部１１８、映像信号入力受付部１２０、入出場者数データ入力受付部１２２、及び運転状況データ入力受付部１２３に送る。
【００４３】
案内音声生成部１１６は、案内放送の音声の音響信号を生成する。具体的には、案内音声生成部１１６は、情報信号の入力を受け付けたことを示すデータを列車検知信号入力受付部１１４又はベル操作信号入力受付部１１５から受け取ると、案内放送の音声の音響信号を生成する。そして、案内音声生成部１１６は、生成した案内放送の音声の音響信号を示すデータを音圧レベル補正部１２６に送る。
【００４４】
第１の音響信号入力受付部１１７は、駅係員による案内放送の音声を示す音響信号の入力を受け付ける。具体的には、第１の音響信号入力受付部１１７は、マイクロフォン１５０から出力された音響信号の入力を受け付けると、その音響信号を示すデータを音圧レベル補正部１２６に送る。また、第１の音響信号入力受付部１１７は、マイクロフォン１５０から出力された音響信号の入力を受け付けると、その旨を示すデータをテスト音出力部１１８、映像信号入力受付部１２０、入出場者数データ入力受付部１２２、及び運転状況データ入力受付部１２３に送る。
【００４５】
テスト音出力部１１８は、同じ音圧レベルで周波数の異なる複数のテスト音を示す音響信号をスピーカー１６０に出力する。具体的には、テスト音出力部１１８は、音響信号の入力を受け付けたことを示すデータを第１の音響信号入力受付部１１７から受け取ると、同じ音圧レベルで周波数の異なる複数のテスト音を示す響信号をスピーカー１６０に出力する。また、テスト音出力部１１８は、情報信号の入力を受け付けたことを示すデータを列車検知信号入力受付部１１４又はベル操作信号入力受付部１１５から受け取ると、同じ音圧レベルで周波数の異なる複数のテスト音を示す響信号をスピーカー１６０に出力する。そして、テスト音出力部１１８は、音響信号をスピーカー１６０に出力すると、その旨を示すデータを第２の音響信号入力受付部１１９に送る。また、テスト音出力部１１８は、出力した各テスト音の音圧レベルと周波数を示すデータを減衰量評価部１２５に送る。
【００４６】
第２の音響信号入力受付部１１９は、マイクロフォン１７０によって集音された複数のテスト音を示す音響信号の入力を受け付ける。具体的には、第２の音響信号入力受付部１１９は、音響信号の入力を受け付けたことを示すデータを第１の音響信号入力受付部１１７から受け取ると、マイクロフォン１７０から出力された音響信号の入力を受け付ける。また、第２の音響信号入力受付部１１９は、音響信号をスピーカー１６０に出力したことを示すデータをテスト音出力部１１８から受け取ると、マイクロフォン１７０から出力された音響信号の入力を受け付ける。そして、第２の音響信号入力受付部１１９は、マイクロフォン１７０から出力された音響信号の入力を受け付けると、その音響信号を示すデータを減衰量評価部１２５に送る。
【００４７】
映像信号入力受付部１２０は、監視カメラ１８０によって撮影された映像を示す映像信号の入力を受け付ける。具体的には、映像信号入力受付部１２０は、音響信号の入力を受け付けたことを示すデータを第１の音響信号入力受付部１１７から受け取ると、監視カメラ１８０から出力された映像信号の入力を受け付ける。また、映像信号入力受付部１２０は、情報信号の入力を受け付けたことを示すデータを列車検知信号入力受付部１１４又はベル操作信号入力受付部１１５から受け取ると、監視カメラ１８０から出力された映像信号の入力を受け付ける。そして、映像信号入力受付部１２０は、監視カメラ１８０から出力された映像信号の入力を受け付けると、その映像信号を示すデータを映像信号解析部１２１に送る。
【００４８】
映像信号解析部１２１は、監視カメラ１８０によって撮影された映像を示す映像信号を解析する。具体的には、映像信号解析部１２１は、映像信号を示すデータを映像信号入力受付部１２０から受け取ると、そのデータによって示される映像信号を解析し、映像に映っている旅客数を推定する。そして、映像信号解析部１２１は、推定した旅客数を示すデータを減衰量評価部１２５に送る。
【００４９】
入出場者数データ入力受付部１２２は、自動改札機を利用して駅構内に入場した旅客数の遷移、及び自動改札機を利用して駅構内から出場した旅客数の遷移を示すデータの入力を受け付ける。具体的には、入出場者数データ入力受付部１２２は、音響信号の入力を受け付けたことを示すデータを第１の音響信号入力受付部１１７から受け取ると、旅客数の遷移を示すデータを送信するよう自動改札システム１９０に要求する。また、入出場者数データ入力受付部１２２は、情報信号の入力を受け付けたことを示すデータを列車検知信号入力受付部１１４又はベル操作信号入力受付部１１５から受け取ると、旅客数の遷移を示すデータを送信するよう自動改札システム１９０に要求する。そして、入出場者数データ入力受付部１２２は、自動改札システム１９０から送信されたデータの入力を受け付けると、そのデータを対象者数推定部１２４に送る。
【００５０】
運転状況データ入力受付部１２３は、列車の運転状況を示すデータの入力を受け付ける。具体的には、運転状況データ入力受付部１２３は、音響信号の入力を受け付けたことを示すデータを第１の音響信号入力受付部１１７から受け取ると、列車の運転状況を示すデータを送信するよう運行管理システム２００に要求する。また、運転状況データ入力受付部１２３は、情報信号の入力を受け付けたことを示すデータを列車検知信号入力受付部１１４又はベル操作信号入力受付部１１５から受け取ると、列車の運転状況を示すデータを送信するよう運行管理システム２００に要求する。そして、運転状況データ入力受付部１２３は、運行管理システム２００から送信されたデータの入力を受け付けると、そのデータを対象者数推定部１２４に送る。
【００５１】
対象者数推定部１２４は、案内放送の音声を伝達すべきコンコース２２０内の旅客数を推定する。具体的には、対象者数推定部１２４は、旅客数の遷移を示すデータを入出場者数データ入力受付部１２２から受け取ると、そのデータによって示される情報と、第１の旅客数統計情報格納部１１１が格納している情報とに基づいて、案内放送を伝達すべきコンコース２２０内の旅客数を推定する。また、対象者数推定部１２４は、列車の運転状況を示すデータを運転状況データ入力受付部１２３から受け取ると、そのデータによって示される情報と、第２の旅客数統計情報格納部１１２が格納している情報とに基づいて、案内放送を伝達すべきコンコース２２０内の旅客数を推定する。そして、対象者数推定部１２４は、推定した旅客数を示すデータを減衰量評価部１２５に送る。
【００５２】
減衰量評価部１２５は、マイクロフォン１７０によって取得された各テスト音の音圧レベルを評価基準として、音が旅客に伝達されるまでの間に減衰する周波数帯域毎の音圧レベルの減衰量を評価する。具体的には、減衰量評価部１２５は、出力した各テスト音の音圧レベルと周波数を示すデータをテスト音出力部１１８から受け取る。そして、減衰量評価部１２５は、音響信号を示すデータを第２の音響信号入力受付部１１９から受け取ると、そのデータと、テスト音出力部１１８から受け取ったデータとに基づいて、音が旅客に伝達されるまでの間に減衰する周波数帯域毎の音圧レベルの減衰量を評価する。そして、減衰量評価部１２５は、評価した周波数帯域毎の音圧レベルの減衰量を示すデータを音圧レベル補正部１２６に送る。
【００５３】
また、減衰量評価部１２５は、監視カメラ１８０、自動改札システム１９０、又は運転管理システム２００によって取得された情報を評価基準として、案内放送の音声が旅客に伝達されるまでの間に減衰する周波数帯域毎の音圧レベルの減衰量を評価する。具体的には、減衰量評価部１２５は、推定された旅客数を示すデータを映像信号解析部１２１又は対象者数推定部１２４から受け取ると、そのデータによって示される情報と、減衰量評価情報格納部１１３が格納している情報とに基づいて、案内放送の音声が旅客に伝達されるまでの間に減衰する周波数帯域毎の音圧レベルの減衰量を評価する。そして、減衰量評価部１２５は、評価した周波数帯域毎の音圧レベルの減衰量を示すデータを音圧レベル補正部１２６に送る。
【００５４】
音圧レベル補正部１２６は、減衰量評価部１２５が評価した減衰量を補完すべく、音響信号の周波数帯域毎の音圧レベルを補正する。具体的には、音圧レベル補正部１２６は、音響信号を示すデータを案内音声生成部１１６又は第１の音響信号入力受付部１１７から受け取る。そして、音圧レベル補正部１２６は、評価された周波数帯域毎の音圧レベルの減衰量を示すデータを減衰量評価部１２５から受け取ると、その減衰量を補完すべく、音響信号の周波数帯域毎の音圧レベルを補正する。そして、音圧レベル補正部１２６は、補正した音響信号を示すデータを音響信号出力部１２７に送る。
【００５５】
音響信号出力部１２７は、音圧レベル補正部１２６が補正した音響信号をスピーカー１６０に出力する。具体的には、音響信号出力部１２７は、補正された音響信号を示すデータを音圧レベル補正部１２６から受け取ると、そのデータによって示される音響信号をスピーカー１６０に出力する。
【００５６】
図３は、放送装置１１０の動作フローの一例を示す。この動作フローは、マイクロフォン１７０によって集音された複数のテスト音の音圧レベルを評価基準として、自動的に生成した案内音声の音響信号を補正する場合の動作を示すものである。
【００５７】
軌道回路１３０は、列車を検知すると、その旨を示す情報信号を放送装置１１０に送信する。列車検知信号入力受付部１１４は、軌道回路１３０から送信された情報信号の入力を受け付ける。また、発車ベル１４０は、車掌による操作によって動作すると、その旨を示す情報信号を放送装置１１０に送信する。ベル操作信号入力受付部１１５は、発車ベル１４０から送信された情報信号の入力を受け付ける。
【００５８】
このように、列車検知信号入力受付部１１４又はベル操作信号入力受付部１１５が情報信号の入力を受け付けると（Ｓ１０１）、音声案内生成部１１６は、案内放送の音声の音響信号を生成する（Ｓ１０２）。具体的には、列車検知信号入力受付部１１４が情報信号の入力を受け付けると、音声案内生成部１１６は、予告放送や接近放送、停車放送等の案内放送の音声の音響信号を生成する。また、ベル操作信号入力受付部１１５が情報信号の入力を受け付けると、音声案内生成部１１６は、発車放送等の案内放送の音声の音響信号を生成する。
【００５９】
予告放送とは、次にどの列車が来るのかを予告する放送である。予告放送は、事業者によって放送しない駅もある。予告放送では、通過列車や駅止めの列車も放送されるが、これを省略して次に到着する営業列車を放送することもある。また、予告放送では、種別、行先、停車駅や編成両数、及び乗車位置等が放送される。例えば、音声案内生成部１１６は、「１５時４０分発、新快速、姫路行きは５番乗り場から発車します。電車は、１２両で到着します。足元白色１番から１２番で２列に並んでお待ち下さい。停車駅は、明石、西明石、加古川です。」なる予告放送を読み上げる音声の音響信号を生成する。
【００６０】
接近放送とは、列車が到着又は通過する放送を行い、旅客に注意を促す放送である。例えば、音声案内生成部１１６は、「まもなく１番線に、普通、熱海行きがまいります。危ないですから黄色い線までお下がり下さい。この列車は、４つドア１５両です。」なる接近放送を読み上げる音声の音響信号を生成する。
【００６１】
停車放送とは、時間調整や通過待ち等の停車中に行う放送である。停車放送は、列車の種別や行先等、簡単に放送される。例えば、音声案内生成部１１６は、「５番乗り場に停車中の電車は、新快速、姫路行きです。」なる停車放送を読み上げる音声の音響信号を生成する。
【００６２】
発車放送とは、列車が発車することを知らせる放送である。例えば、音声案内生成部１１６は、「２番線から、練馬方面光が丘行き電車が発車致します。閉まるドアにご注意下さい。」なる発車放送を読み上げる音声の音響信号を生成する。
【００６３】
そして、テスト音出力部１１８は、同じ音圧レベルで周波数の異なる複数のテスト音を示す音響信号をスピーカー１６０に出力する（Ｓ１０３）。スピーカー１６０は、テスト音出力部１１８から出力された音響信号の入力を受け付けると、その音響信号を物理振動に変えて、同じ音圧レベルで周波数の異なる複数のテスト音を放音する。
【００６４】
マイクロフォン１７０は、集音した音を示す音響信号を出力している。スピーカー１６０が複数のテスト音を放音すると、このスピーカー１６０と同じコンコース内に設置されているマイクロフォン１７０は、この各テスト音を集音し、集音した各テスト音を示す音響信号を出力する。テスト音出力部１１８が音響信号をスピーカー１６０に出力すると、第２の音響信号入力受付部１１９は、マイクロフォン１７０が出力した音響信号の入力を受け付ける。すなわち、第２の音響信号入力受付部１１９は、マイクロフォン１７０が出力した各テスト音を示す音響信号の入力を受け付けることになる（Ｓ１０４）。
【００６５】
そして、減衰量評価部１２５は、マイクロフォン１７０によって取得された各テスト音の音圧レベルを評価基準として、音が旅客に伝達されるまでの間に減衰する周波数帯域毎の音圧レベルの減衰量を評価する（Ｓ１０５）。具体的には、減衰量評価部１２５は、テスト音出力部１１８が出力した音響信号によって示される各テスト音の音圧レベルと、第２の音響信号入力受付部１１９が入力を受け付けた音響信号によって示される各テスト音の音圧レベルとを比較する。そして、減衰量評価部１２５は、周波数の異なる各テスト音の音圧レベルの減衰量を算出することによって、音が旅客に伝達されるまでの間に減衰する周波数帯域毎の音圧レベルの減衰量を評価する。例えば、５００Ｈｚのテスト音の音圧レベルが７０ｄＢから６７ｄＢに減衰している場合、減衰量評価部１２５は、５００Ｈｚ前後の周波数帯域の音が旅客に伝達されるまでの間に減衰する音圧レベルの減衰量を３ｄＢと評価する。
【００６６】
そして、音圧レベル補正部１２６は、減衰量評価部１２５が評価した減衰量を補完すべく、案内音声生成部１１６が生成した音響信号の周波数帯域毎の音圧レベルを補正する（Ｓ１０６）。具体的には、音圧レベル補正部１２６は、案内音声生成部１１６が生成した音響信号の各周波数帯域の音圧レベルを、減衰量評価部１２５が評価した各周波数帯域の減衰量と同じ値だけ増幅する。例えば、５００Ｈｚ前後の周波数帯域の音圧レベルの減衰量を３ｄＢと減衰量評価部１２５が評価した場合、音圧レベル補正部１２６は、案内音声生成部１１６が生成した音響信号の５００Ｈｚ前後の周波数帯域の音圧レベルを３ｄＢ増幅する。そして、音響信号出力部１２７は、音圧レベル補正部１２６が補正した音響信号をスピーカー１６０に出力する（Ｓ１０７）。
【００６７】
図４は、放送装置１１０の動作フローの別の一例を示す。この動作フローは、マイクロフォン１７０によって集音された複数のテスト音の音圧レベルを評価基準として、駅係員が発声したアナウンスの音響信号を補正する場合の動作を示すものである。
【００６８】
案内音声生成部１１６によって生成することができないような案内文の案内放送を行う場合、駅係員は、マイクロフォン１５０を利用して案内放送のアナウンスを行う。マイクロフォン１５０は、駅係員によるアナウンスの音声を集音すると、その音響信号を放送装置１１０に出力する。第１の音響信号入力受付部１１７は、マイクロフォン１５０から出力された音響信号の入力を受け付ける（Ｓ２０１）。
【００６９】
第１の音響信号入力受付部１１７が音響信号の入力を受け付けると、テスト音出力部１１８は、同じ音圧レベルで周波数の異なる複数のテスト音を示す音響信号をスピーカー１６０に出力する（Ｓ２０２）。スピーカー１６０は、テスト音出力部１１８から出力された音響信号の入力を受け付けると、その音響信号を物理振動に変えて、同じ音圧レベルで周波数の異なる複数のテスト音を放音する。
【００７０】
マイクロフォン１７０は、集音した音を示す音響信号を出力している。スピーカー１６０が複数のテスト音を放音すると、このスピーカー１６０と同じコンコース内に設置されているマイクロフォン１７０は、この各テスト音を集音し、集音した各テスト音を示す音響信号を出力する。テスト音出力部１１８が音響信号をスピーカー１６０に出力すると、第２の音響信号入力受付部１１９は、マイクロフォン１７０が出力した音響信号の入力を受け付ける。すなわち、第２の音響信号入力受付部１１９は、マイクロフォン１７０が出力した各テスト音を示す音響信号の入力を受け付けることになる（Ｓ２０３）。
【００７１】
そして、減衰量評価部１２５は、マイクロフォン１７０によって取得された各テスト音の音圧レベルを評価基準として、音が旅客に伝達されるまでの間に減衰する周波数帯域毎の音圧レベルの減衰量を評価する（Ｓ２０４）。この処理は、図３に依拠して説明したＳ１０５の処理と同様の処理であるため、その具体的な説明を省略する。
【００７２】
そして、音圧レベル補正部１２６は、減衰量評価部１２５が評価した減衰量を補完すべく、第１の音響信号入力受付部１１７が入力を受け付けた音響信号の周波数帯域毎の音圧レベルを補正する（Ｓ２０５）。具体的には、音圧レベル補正部１２６は、第１の音響信号入力受付部１１７が入力を受け付けた音響信号の各周波数帯域の音圧レベルを、減衰量評価部１２５が評価した各周波数帯域の減衰量と同じ値だけ増幅する。例えば、５００Ｈｚ前後の周波数帯域の音圧レベルの減衰量を３ｄＢと減衰量評価部１２５が評価した場合、音圧レベル補正部１２６は、第１の音響信号入力受付部１１７が入力を受け付けた音響信号の５００Ｈｚ前後の周波数帯域の音圧レベルを３ｄＢ増幅する。そして、音響信号出力部１２７は、音圧レベル補正部１２６が補正した音響信号をスピーカー１６０に出力する（Ｓ２０６）。
【００７３】
図５は、放送装置１１０の動作フローの更に別の一例を示す。この動作フローは、監視カメラ１８０によって撮影された映像に映っている旅客数を評価基準として、自動的に生成した案内音声の音響信号を補正する場合の動作を示すものである。
【００７４】
列車検知信号入力受付部１１４又はベル操作信号入力受付部１１５が情報信号の入力を受け付けると（Ｓ３０１）、音声案内生成部１１６は、案内放送の音声の音響信号を生成する（Ｓ３０２）。これらの処理は、図３に依拠して説明したＳ１０１〜Ｓ１０２の処理と同様の処理であるため、その具体的な説明を省略する。
【００７５】
そして、映像信号入力受付部１２０は、監視カメラ１８０によって撮影された映像を示す映像信号の入力を受け付ける（Ｓ３０３）。そして、映像信号解析部１２１は、監視カメラ１８０によって撮影された映像を示す映像信号を解析する（Ｓ３０４）。例えば、映像信号解析部１２１は、予め設定した領域を通過する移動体を検知しカウントすることによって、コンコース２２０内の旅客数を推定する。
【００７６】
そして、減衰量評価部１２５は、映像信号解析部１２１が映像信号を解析したことによって推定された旅客数と、減衰量評価情報格納部１１３が格納している情報とに基づいて、音が旅客に伝達されるまでの間に減衰する周波数帯域毎の音圧レベルの減衰量を評価する（Ｓ３０５）。具体的には、減衰量評価情報格納部１１３は、ある人数の旅客がコンコース２２０内にいるときの音の周波数帯域毎の音圧レベルの減衰量を統計した情報を格納している。減衰量評価部１２５は、映像信号解析部１２１が映像信号を解析したことによって推定された旅客数を検索キーとして、その人数の旅客がコンコース２２０内にいるときの音の周波数帯域毎の音圧レベルの減衰量を、減衰量評価情報格納部１１３が格納している情報の中から特定し、その各減衰量を評価すべき減衰量とする。
【００７７】
そして、音圧レベル補正部１２６は、減衰量評価部１２５が評価した減衰量を補完すべく、案内音声生成部１１６が生成した音響信号の周波数帯域毎の音圧レベルを補正する（Ｓ３０６）。この処理は、図３に依拠して説明したＳ１０６の処理と同様の処理であるため、その具体的な説明を省略する。そして、音響信号出力部１２７は、音圧レベル補正部１２６が補正した音響信号をスピーカー１６０に出力する（Ｓ３０７）。
【００７８】
図６は、放送装置１１０の動作フローの更に別の一例を示す。この動作フローは、監視カメラ１８０によって撮影された映像に映っている旅客数を評価基準として、駅係員が発声したアナウンスの音響信号を補正する場合の動作を示すものである。
【００７９】
第１の音響信号入力受付部１１７は、マイクロフォン１５０から出力された音響信号の入力を受け付ける（Ｓ４０１）。この処理は、図４に依拠して説明したＳ２０１の処理と同様の処理であるため、その具体的な説明を省略する。
【００８０】
そして、映像信号入力受付部１２０は、監視カメラ１８０によって撮影された映像を示す映像信号の入力を受け付ける（Ｓ４０２）。そして、映像信号解析部１２１は、監視カメラ１８０によって撮影された映像を示す映像信号を解析する（Ｓ４０３）。そして、減衰量評価部１２５は、映像信号解析部１２１が映像信号を解析したことによって推定された旅客数と、減衰量評価情報格納部１１３が格納している情報とに基づいて、音が旅客に伝達されるまでの間に減衰する周波数帯域毎の音圧レベルの減衰量を評価する（Ｓ４０４）。これらの処理は、図５に依拠して説明したＳ３０３〜Ｓ３０５の処理と同様の処理であるため、その具体的な説明を省略する。
【００８１】
そして、そして、音圧レベル補正部１２６は、減衰量評価部１２５が評価した減衰量を補完すべく、第１の音響信号入力受付部１１７が入力を受け付けた音響信号の周波数帯域毎の音圧レベルを補正する（Ｓ４０５）。この処理は、図４に依拠して説明したＳ２０５の処理と同様の処理であるため、その具体的な説明を省略する。そして、音響信号出力部１２７は、音圧レベル補正部１２６が補正した音響信号をスピーカー１６０に出力する（Ｓ４０６）。
【００８２】
図７は、放送装置１１０の動作フローの更に別の一例を示す。この動作フローは、自動改札機を利用した旅客の入出場者数から推定されるコンコース２２０内の旅客数を評価基準として、自動的に生成した案内音声の音響信号を補正する場合の動作を示すものである。
【００８３】
列車検知信号入力受付部１１４又はベル操作信号入力受付部１１５が情報信号の入力を受け付けると（Ｓ５０１）、音声案内生成部１１６は、案内放送の音声の音響信号を生成する（Ｓ５０２）。これらの処理は、図３に依拠して説明したＳ１０１〜Ｓ１０２の処理と同様の処理であるため、その具体的な説明を省略する。
【００８４】
そして、入出場者数データ入力受付部１２２は、自動改札機を利用して駅構内に入場した旅客数の遷移、及び自動改札機を利用して駅構内から出場した旅客数の遷移を示すデータの入力を自動改札システム１９０から受け付ける（Ｓ５０３）。
【００８５】
そして、対象者数推定部１２４は、入出場者数データ入力受付部１２２が入力を受け付けたデータによって示される旅客数の遷移と、第１の旅客数統計情報格納部１１１が格納している情報とに基づいて、案内放送の音声を伝達すべきコンコース２２０内の旅客数を推定する（Ｓ５０４）。具体的には、第１の旅客数統計情報格納部１１１は、自動改札機を入出場した旅客数の遷移と、コンコース２２０内の旅客数の遷移との関係を統計した情報を格納している。対象者数推定部１２４は、入出場者数データ入力受付部１２２が入力を受け付けたデータによって示される旅客数の遷移を検索キーとして、その旅客数の遷移があったときのコンコース２２０内の旅客数を、第１の旅客数統計情報格納部１１１が格納している情報の中から特定し、その旅客数を推定すべき旅客数とする。
【００８６】
そして、減衰量評価部１２５は、対象者数推定部１２４が推定した旅客数と、減衰量評価情報格納部１１３が格納している情報とに基づいて、音が旅客に伝達されるまでの間に減衰する周波数帯域毎の音圧レベルの減衰量を評価する（Ｓ５０５）。この処理は、図５に依拠して説明したＳ３０５の処理と同様の処理であるため、その具体的な説明を省略する。
【００８７】
そして、音圧レベル補正部１２６は、減衰量評価部１２５が評価した減衰量を補完すべく、案内音声生成部１１６が生成した音響信号の周波数帯域毎の音圧レベルを補正する（Ｓ５０６）。この処理は、図３に依拠して説明したＳ１０６の処理と同様の処理であるため、その具体的な説明を省略する。そして、音響信号出力部１２７は、音圧レベル補正部１２６が補正した音響信号をスピーカー１６０に出力する（Ｓ５０７）。
【００８８】
図８は、放送装置１１０の動作フローの更に別の一例を示す。この動作フローは、自動改札機を利用した旅客の入出場者数から推定されるコンコース２２０内の旅客数を評価基準として、駅係員が発声したアナウンスの音響信号を補正する場合の動作を示すものである。
【００８９】
第１の音響信号入力受付部１１７は、マイクロフォン１５０から出力された音響信号の入力を受け付ける（Ｓ６０１）。この処理は、図４に依拠して説明したＳ２０１の処理と同様の処理であるため、その具体的な説明を省略する。
【００９０】
そして、入出場者数データ入力受付部１２２は、自動改札機を利用して駅構内に入場した旅客数の遷移、及び自動改札機を利用して駅構内から出場した旅客数の遷移を示すデータの入力を自動改札システム１９０から受け付ける（Ｓ６０２）。そして、対象者数推定部１２４は、入出場者数データ入力受付部１２２が入力を受け付けたデータによって示される旅客数の遷移と、第１の旅客数統計情報格納部１１１が格納している情報とに基づいて、案内放送の音声を伝達すべきコンコース２２０内の旅客数を推定する（Ｓ６０３）。これらの処理は、図７に依拠して説明したＳ５０３〜Ｓ５０４の処理と同様の処理であるため、その具体的な説明を省略する。
【００９１】
そして、減衰量評価部１２５は、対象者数推定部１２４が推定した旅客数と、減衰量評価情報格納部１１３が格納している情報とに基づいて、音が旅客に伝達されるまでの間に減衰する周波数帯域毎の音圧レベルの減衰量を評価する（Ｓ６０４）。この処理は、図５に依拠して説明したＳ３０５の処理と同様の処理であるため、その具体的な説明を省略する。
【００９２】
そして、音圧レベル補正部１２６は、減衰量評価部１２５が評価した減衰量を補完すべく、案内音声生成部１１６が生成した音響信号の周波数帯域毎の音圧レベルを補正する（Ｓ６０５）。この処理は、図３に依拠して説明したＳ１０６の処理と同様の処理であるため、その具体的な説明を省略する。そして、音響信号出力部１２７は、音圧レベル補正部１２６が補正した音響信号をスピーカー１６０に出力する（Ｓ６０６）。
【００９３】
図９は、放送装置１１０の動作フローの更に別の一例を示す。この動作フローは、列車の運転状況から推定されるコンコース２２０内の旅客数を評価基準として、自動的に生成した案内音声の音響信号を補正する場合の動作を示すものである。
【００９４】
列車検知信号入力受付部１１４又はベル操作信号入力受付部１１５が情報信号の入力を受け付けると（Ｓ７０１）、音声案内生成部１１６は、案内放送の音声の音響信号を生成する（Ｓ７０２）。これらの処理は、図３に依拠して説明したＳ１０１〜Ｓ１０２の処理と同様の処理であるため、その具体的な説明を省略する。
【００９５】
そして、運転状況データ入力受付部１２３は、列車の運転状況を示すデータの入力を運行管理システム２００から受け付ける（Ｓ７０３）。そして、対象者数推定部１２４は、運転状況データ入力受付部１２３が入力を受け付けたデータによって示される列車の運転状況と、第２の旅客数統計情報格納部１１２が格納している情報とに基づいて、案内放送の音声を伝達すべきコンコース２２０内の旅客数を推定する（Ｓ７０４）。具体的には、第２の旅客数統計情報格納部１１２は、列車の運転状況と、コンコース２２０内の旅客数の遷移との関係を統計した情報を格納している。対象者数推定部１２４は、運転状況データ入力受付部１２３が入力を受け付けたデータによって示される列車の運転状況を検索キーとして、その運転状況におけるコンコース２２０内の旅客数を、第２の旅客数統計情報格納部１１２が格納している情報の中から特定し、その旅客数を推定すべき旅客数とする。
【００９６】
そして、減衰量評価部１２５は、対象者数推定部１２４が推定した旅客数と、減衰量評価情報格納部１１３が格納している情報とに基づいて、音が旅客に伝達されるまでの間に減衰する周波数帯域毎の音圧レベルの減衰量を評価する（Ｓ７０５）。この処理は、図５に依拠して説明したＳ３０５の処理と同様の処理であるため、その具体的な説明を省略する。
【００９７】
そして、音圧レベル補正部１２６は、減衰量評価部１２５が評価した減衰量を補完すべく、案内音声生成部１１６が生成した音響信号の周波数帯域毎の音圧レベルを補正する（Ｓ７０６）。この処理は、図３に依拠して説明したＳ１０６の処理と同様の処理であるため、その具体的な説明を省略する。そして、音響信号出力部１２７は、音圧レベル補正部１２６が補正した音響信号をスピーカー１６０に出力する（Ｓ７０７）。
【００９８】
図１０は、放送装置１１０の動作フローの更に別の一例を示す。この動作フローは、列車の運転状況から推定されるコンコース２２０内の旅客数を評価基準として、駅係員が発声したアナウンスの音響信号を補正する場合の動作を示すものである。
【００９９】
第１の音響信号入力受付部１１７は、マイクロフォン１５０から出力された音響信号の入力を受け付ける（Ｓ８０１）。この処理は、図４に依拠して説明したＳ２０１の処理と同様の処理であるため、その具体的な説明を省略する。
【０１００】
そして、運転状況データ入力受付部１２３は、列車の運転状況を示すデータの入力を運行管理システム２００から受け付ける（Ｓ８０２）。そして、対象者数推定部１２４は、運転状況データ入力受付部１２３が入力を受け付けたデータによって示される列車の運転状況と、第２の旅客数統計情報格納部１１２が格納している情報とに基づいて、案内放送の音声を伝達すべきコンコース２２０内の旅客数を推定する（Ｓ８０３）。これらの処理は、図９に依拠して説明したＳ７０３〜Ｓ７０４の処理と同様の処理であるため、その具体的な説明を省略する。
【０１０１】
そして、減衰量評価部１２５は、対象者数推定部１２４が推定した旅客数と、減衰量評価情報格納部１１３が格納している情報とに基づいて、音が旅客に伝達されるまでの間に減衰する周波数帯域毎の音圧レベルの減衰量を評価する（Ｓ８０４）。この処理は、図５に依拠して説明したＳ３０５の処理と同様の処理であるため、その具体的な説明を省略する。
【０１０２】
そして、音圧レベル補正部１２６は、減衰量評価部１２５が評価した減衰量を補完すべく、案内音声生成部１１６が生成した音響信号の周波数帯域毎の音圧レベルを補正する（Ｓ８０５）。この処理は、図３に依拠して説明したＳ１０６の処理と同様の処理であるため、その具体的な説明を省略する。そして、音響信号出力部１２７は、音圧レベル補正部１２６が補正した音響信号をスピーカー１６０に出力する（Ｓ８０６）。
【０１０３】
図１１は、第１の旅客数統計情報格納部１１１が格納している情報の一例を示す。第１の旅客数統計情報格納部１１１は、コンコース、入出場者数、及び旅客数を対応付けて格納している。なお、コンコースは、この発明における「所定領域」の一例であってよい。また、入出場者数は、この発明における「所定領域への入出場者数」の一例であってよい。また、旅客数は、この発明における「所定領域内の対象者数」の一例であってよい。
【０１０４】
コンコースは、案内放送を行う駅内の所定の領域を示す情報であってよい。なお、コンコースは、駅内の所定の領域に付された空間の名称であってよいし、その領域を一意に識別し得る文字列であってよい。また、一の領域に複数のスピーカー１６０が設置されている場合、コンコースは、設置されているスピーカー１６０毎に領域を分割し、その分割した各領域を示していてよい。
【０１０５】
入出場者数は、所定時間内に自動改札機を利用して駅構内に入場した旅客数から、その所定時間内に自動改札機を利用して駅構内から出場した旅客数を差し引いた人数を示す情報であってよい。なお、入出場者数は、その数値が正の場合、所定時間内の入場者数が出場者数よりも多いことを示しており、その数値が負の場合、所定時間内の入場者数が出場者数よりも少ないことを示している。
【０１０６】
旅客数は、「入出場者数」によって示される人数の旅客の出入りがあった場合における、「コンコース」によって示される領域内にいると推定される旅客の人数を示す情報であってよい。なお、旅客数は、所定時間内に自動改札機を利用した旅客数の実際の遷移と、そのような遷移があったときにコンコースにいた実際の旅客数とを調査した結果を統計したものであってよい。
【０１０７】
対象者数推定部１２４は、第１の旅客数統計情報格納部１１１が格納しているこれら情報と、入出場者数データ入力受付部１２２から受け取ったデータによって示される情報とに基づいて、案内放送の音声を伝達すべきコンコース２２０内の旅客数を推定する。例えば、入出場者数データ入力受付部１２２から受け取ったデータによって示される入場者数が１５人、出場者数が５人であった場合、入出場者数は、１０人となる。このようなとき、コンコース「コンコースＡ」に案内放送を行う場合、対象者数推定部１２４は、コンコース「コンコースＡ」、及び入出場者数「１０」人を検索キーとして、第１の旅客数統計情報格納部１１１が格納している情報のうち、推定すべき旅客数の情報を特定する。この例の場合、第１の旅客数統計情報格納部１１１は、コンコース「コンコースＡ」を示す情報、及び入出場者数「１０」人を示す情報に、旅客数「３０」人を示す情報を対応付けて格納している。したがって、対象者数推定部１２４は、旅客数を３０人と推定することになる。
【０１０８】
図１２は、第２の旅客数統計情報格納部１１２が格納している情報の一例を示す。第２の旅客数統計情報格納部１１２は、コンコース、列車番号１、列車番号２、及び旅客数を対応付けて格納している。なお、コンコースは、この発明における「所定領域」の一例であってよい。また、列車番号１及び列車番号２は、この発明における「交通機関の運行情報」の一例であってよい。また、旅客数は、この発明における「所定領域内の対象者数」の一例であってよい。
【０１０９】
コンコースは、案内放送を行う駅内の所定の領域を示す情報であってよい。なお、コンコースは、駅内の所定の領域に付された空間の名称であってよいし、その領域を一意に識別し得る文字列であってよい。また、一の領域に複数のスピーカー１６０が設置されている場合、コンコースは、設置されているスピーカー１６０毎に領域を分割し、その分割した各領域を示していてよい。
【０１１０】
列車番号１は、既に駅に到着している列車を示す番号であってよい。なお、列車番号１は、鉄道のダイヤにおいて個々の列車に与えられる数字及び記号であってよい。また、列車番号１は、例えば、４桁以下の数字とアルファベット１文字を用いて、列車の種類や使命、列車の系統、行き先、上り下りの別等を表現するものであってよい。
【０１１１】
列車番号２は、列車番号１によって示される列車の次に駅に到着する列車を示す番号であってよい。なお、列車番号２は、鉄道のダイヤにおいて個々の列車に与えられる数字及び記号であってよい。また、列車番号２は、例えば、４桁以下の数字とアルファベット１文字を用いて、列車の種類や使命、列車の系統、行き先、上り下りの別等を表現するものであってよい。
【０１１２】
旅客数は、駅に「列車番号１」によって示される列車が到着してから「列車番号２」によって示される列車が到着するまでの間に、「コンコース」によって示される領域内にいると推定される旅客の人数を示す情報であってよい。なお、旅客数は、列車の運転状況と、コンコースにいた実際の旅客数とを調査した結果を統計したものであってよい。
【０１１３】
対象者数推定部１２４は、第２の旅客数統計情報格納部１１２が格納しているこれら情報と、運転状況データ入力受付部１２３から受け取ったデータによって示される情報とに基づいて、案内放送の音声を伝達すべきコンコース２２０内の旅客数を推定する。例えば、運転状況データ入力受付部１２３から受け取ったデータが、列車番号「８０８Ｇ」によって示される列車が次に到着することを示していたとする。このようなとき、コンコース「コンコースＡ」に案内放送を行う場合、対象者数推定部１２４は、コンコース「コンコースＡ」、及び列車番号２「８０８Ｇ」を検索キーとして、第２の旅客数統計情報格納部１１２が格納している情報のうち、推定すべき旅客数の情報を特定する。この例の場合、第２の旅客数統計情報格納部１１２は、コンコース「コンコースＡ」を示す情報、及び列車番号２「８０８Ｇ」を示す情報に、旅客数「１００」人を示す情報を対応付けて格納している。したがって、対象者数推定部１２４は、旅客数を１００人と推定することになる。
【０１１４】
図１３は、減衰量評価情報格納部１１３が格納している情報の一例を示す。減衰量評価情報格納部１１３は、旅客数、１２５Ｈｚ帯域の音の減衰量、２５０Ｈｚ帯域の音の減衰量、及び５００Ｈｚ帯域の音の減衰量を対応付けて格納している。なお、旅客数は、この発明における「対象者数」の一例であってよい。また、１２５Ｈｚ帯域の音の減衰量、２５０Ｈｚ帯域の音の減衰量、及び５００Ｈｚ帯域の音の減衰量は、この発明における「音が対象者に伝達されるまでの間に減衰する周波数帯域毎の音圧レベルの減衰量」であってよい。
【０１１５】
なお、旅客数は、コンコース２２０内にいる旅客の人数を示す情報であってよい。また、１２５Ｈｚ帯域の音の減衰量は、「旅客数」によって示される人数の旅客がコンコース２２０内にいるときの、１／１オクターブバンド中心周波数１２５Ｈｚの音の音圧レベルの減衰量を示す情報であってよい。同様に、２５０Ｈｚ帯域の音の減衰量は、「旅客数」によって示される人数の旅客がコンコース２２０内にいるときの、１／１オクターブバンド中心周波数２５０Ｈｚの音の音圧レベルの減衰量を示す情報であってよい。同様に、５００Ｈｚ帯域の音の減衰量は、「旅客数」によって示される人数の旅客がコンコース２２０内にいるときの、１／１オクターブバンド中心周波数５００Ｈｚの音の音圧レベルの減衰量を示す情報であってよい。
【０１１６】
減衰量評価部１２５は、減衰量評価情報格納部１１３が格納しているこれら情報と、映像信号解析部１２１又は対象者数推定部１２４から受け取ったデータによって示される情報とに基づいて、音が旅客に伝達されるまでの間に減衰する周波数帯域毎の音圧レベルの減衰量を評価する。例えば、減衰量評価部１２５は、旅客数を９０人と推定したことを示す情報を受け取った場合、旅客数「９０」人を検索キーとして、減衰量評価部１２５が格納している情報のうち、評価すべき周波数帯域毎の音圧レベルの減衰量を特定する。この例の場合、減衰量評価情報格納部１１３は、旅客数「５１〜１００」を示す情報に、１／１オクターブバンド中心周波数１２５Ｈｚの音の音圧レベルの減衰量「２」ｄＢを示す情報、１／１オクターブバンド中心周波数２５０Ｈｚの音の音圧レベルの減衰量「４」ｄＢを示す情報、及び１／１オクターブバンド中心周波数５００Ｈｚの音の音圧レベルの減衰量「７」ｄＢを示す情報を対応付けて格納している。したがって、減衰量評価部１２５は、１／１オクターブバンド中心周波数１２５Ｈｚの音の音圧レベルの減衰量を２ｄＢ、１／１オクターブバンド中心周波数２５０Ｈｚの音の音圧レベルの減衰量を４ｄＢ、及び１／１オクターブバンド中心周波数５００Ｈｚの音の音圧レベルの減衰量を７ｄＢと評価することになる。
【０１１７】
以上説明したように、案内放送システム１００においては、音声案内を放送するにあたり、テスト音の周波数帯域毎の音圧レベルの減衰量を実際に測定し、その周波数帯域毎の音圧レベルの減衰量を補完すべく、音声案内を示す音響信号の周波数帯域毎の音圧レベルを補正して放送するようにしたので、いずれの周波数帯域の音も同程度の音圧レベルの音を対象者に伝達することができる。
【０１１８】
また、案内放送システム１００においては、音声案内を放送するにあたり、監視カメラ１８０によって撮影された映像からコンコース２２０にいる旅客の人数を推定し、その旅客数に基づいて音の周波数帯域毎の音圧レベルの減衰量を評価し、その周波数帯域毎の音圧レベルの減衰量を補完すべく、音声案内を示す音響信号の周波数帯域毎の音圧レベルを補正して放送するようにしたので、いずれの周波数帯域の音も同程度の音圧レベルの音を対象者に伝達することができる。
【０１１９】
また、案内放送システム１００においては、音声案内を放送するにあたり、自動改札機を利用した入出場者数からコンコース２２０にいる旅客の人数を推定し、その旅客数に基づいて音の周波数帯域毎の音圧レベルの減衰量を評価し、その周波数帯域毎の音圧レベルの減衰量を補完すべく、音声案内を示す音響信号の周波数帯域毎の音圧レベルを補正して放送するようにしたので、いずれの周波数帯域の音も同程度の音圧レベルの音を対象者に伝達することができる。
【０１２０】
また、案内放送システム１００においては、音声案内を放送するにあたり、列車の運転状況からコンコース２２０にいる旅客の人数を推定し、その旅客数に基づいて音の周波数帯域毎の音圧レベルの減衰量を評価し、その周波数帯域毎の音圧レベルの減衰量を補完すべく、音声案内を示す音響信号の周波数帯域毎の音圧レベルを補正して放送するようにしたので、いずれの周波数帯域の音も同程度の音圧レベルの音を対象者に伝達することができる。
【０１２１】
図１４は、放送装置１１０をコンピュータ等の電子情報処理装置で構成した場合のハードウェア構成の一例を示す。放送装置１１０は、ＣＰＵ（Ｃｅｎｔｒａｌ  Ｐｒｏｃｅｓｓｉｎｇ  Ｕｎｉｔ）周辺部と、入出力部と、レガシー入出力部とを備える。ＣＰＵ周辺部は、ホスト・コントローラ９０１により相互に接続されるＣＰＵ９０２、ＲＡＭ（Ｒａｎｄｏｍ  Ａｃｃｅｓｓ  Ｍｅｍｏｒｙ）９０３、グラフィック・コントローラ９０４、及び表示装置９０５を有する。入出力部は、入出力コントローラ９０６によりホスト・コントローラ９０１に接続される通信インターフェイス９０７、ハードディスクドライブ９０８、及びＣＤ−ＲＯＭ（Ｃｏｍｐａｃｔ  Ｄｉｓｋ  Ｒｅａｄ  Ｏｎｌｙ  Ｍｅｍｏｒｙ）ドライブ９０９を有する。レガシー入出力部は、入出力コントローラ９０６に接続されるＲＯＭ（Ｒｅａｄ  Ｏｎｌｙ  Ｍｅｍｏｒｙ）９１０、フレキシブルディスク・ドライブ９１１、及び入出力チップ９１２を有する。
【０１２２】
ホスト・コントローラ９０１は、ＲＡＭ９０３と、高い転送レートでＲＡＭ９０３をアクセスするＣＰＵ９０２、及びグラフィック・コントローラ９０４とを接続する。ＣＰＵ９０２は、ＲＯＭ９１０、及びＲＡＭ９０３に格納されたプログラムに基づいて動作して、各部の制御をする。グラフィック・コントローラ９０４は、ＣＰＵ９０２等がＲＡＭ９０３内に設けたフレーム・バッファ上に生成する画像データを取得して、表示装置９０５上に表示させる。これに代えて、グラフィック・コントローラ９０４は、ＣＰＵ９０２等が生成する画像データを格納するフレーム・バッファを、内部に含んでもよい。
【０１２３】
入出力コントローラ９０６は、ホスト・コントローラ９０１と、比較的高速な入出力装置であるハードディスクドライブ９０８、通信インターフェイス９０７、ＣＤ−ＲＯＭドライブ９０９を接続する。ハードディスクドライブ９０８は、ＣＰＵ９０２が使用するプログラム、及びデータを格納する。通信インターフェイス９０７は、ネットワーク通信装置９９１に接続してプログラム又はデータを送受信する。ＣＤ−ＲＯＭドライブ９０９は、ＣＤ−ＲＯＭ９９２からプログラム又はデータを読み取り、ＲＡＭ９０３を介してハードディスクドライブ９０８、及び通信インターフェイス９０７に提供する。
【０１２４】
入出力コントローラ９０６には、ＲＯＭ９１０と、フレキシブルディスク・ドライブ９１１、及び入出力チップ９１２の比較的低速な入出力装置とが接続される。ＲＯＭ９１０は、放送装置１１０が起動時に実行するブート・プログラム、あるいは放送装置１１０のハードウェアに依存するプログラム等を格納する。フレキシブルディスク・ドライブ９１１は、フレキシブルディスク９９３からプログラム又はデータを読み取り、ＲＡＭ９０３を介してハードディスクドライブ９０８、及び通信インターフェイス９０７に提供する。入出力チップ９１２は、フレキシブルディスク・ドライブ９１１、あるいはパラレル・ポート、シリアル・ポート、キーボード・ポート、マウス・ポート等を介して各種の入出力装置を接続する。
【０１２５】
ＣＰＵ９０２が実行するプログラムは、フレキシブルディスク９９３、ＣＤ−ＲＯＭ９９２、又はＩＣ（Ｉｎｔｅｇｒａｔｅｄ  Ｃｉｒｃｕｉｔ）カード等の記録媒体に格納されて利用者によって提供される。記録媒体に格納されたプログラムは圧縮されていても非圧縮であってもよい。プログラムは、記録媒体からハードディスクドライブ９０８にインストールされ、ＲＡＭ９０３に読み出されてＣＰＵ９０２により実行される。ＣＰＵ９０２により実行されるプログラムは、放送装置１１０を、図１から図１３に関連して説明した第１の旅客数統計情報格納部１１１、第２の旅客数統計情報格納部１１２、減衰量評価情報格納部１１３、列車検知信号入力受付部１１４、ベル操作信号入力受付部１１５、案内音声生成部１１６、第１の音響信号入力受付部１１７、テスト音出力部１１８、第２の音響信号入力受付部１１９、映像信号入力受付部１２０、映像信号解析部１２１、入出場者数データ入力受付部１２２、運転状況データ入力受付部１２３、対象者数推定部１２４、減衰量評価部１２５、音圧レベル補正部１２６、及び音響信号出力部１２７として機能させる。
【０１２６】
以上に示したプログラムは、外部の記憶媒体に格納されてもよい。記憶媒体としては、フレキシブルディスク９９３、ＣＤ−ＲＯＭ９９２の他に、ＤＶＤ（Ｄｉｇｉｔａｌ  Ｖｅｒｓａｔｉｌｅ  Ｄｉｓｋ）又はＰＤ（Ｐｈａｓｅ  Ｄｉｓｋ）等の光学記録媒体、ＭＤ（ＭｉｎｉＤｉｓｋ）等の光磁気記録媒体、テープ媒体、ＩＣカード等の半導体メモリ等を用いることができる。また、専用通信ネットワークあるいはインターネットに接続されたサーバシステムに設けたハードディスク又はＲＡＭ等の記憶媒体を記録媒体として使用して、ネットワークを介したプログラムとして案内放送システム１００を提供してもよい。
【０１２７】
以上、本発明を実施の形態を用いて説明したが、本発明の技術的範囲は上記実施の形態に記載の範囲には限定されない。上記実施の形態に、多様な変更又は改良を加えることが可能であることが当業者に明らかである。その様な変更又は改良を加えた形態も本発明の技術的範囲に含まれ得ることが、特許請求の範囲の記載から明らかである。
【符号の説明】
【０１２８】
１００  案内放送システム
１１０  放送装置
１１１  第１の旅客数統計情報格納部
１１２  第２の旅客数統計情報格納部
１１３  減衰量評価情報格納部
１１４  列車検知信号入力受付部
１１５  ベル操作信号入力受付部
１１６  案内音声生成部
１１７  第１の音響信号入力受付部
１１８  テスト音出力部
１１９  第２の音響信号入力受付部
１２０  映像信号入力受付部
１２１  映像信号解析部
１２２  入出場者数データ入力受付部
１２３  運転状況データ入力受付部
１２４  対象者数推定部
１２５  減衰量評価部
１２６  音圧レベル補正部
１２７  音響信号出力部
１３０  軌道回路
１４０  発車ベル
１５０  マイクロフォン
１６０  スピーカー
１７０  マイクロフォン
１８０  監視カメラ
１９０  自動改札システム
２００  運行管理システム
２１０  通信回線
２２０  コンコース
９０１  ホスト・コントローラ
９０２  ＣＰＵ
９０３  ＲＡＭ
９０４  グラフィック・コントローラ
９０５  表示装置
９０６  入出力コントローラ
９０７  通信インターフェイス
９０８  ハードディスクドライブ
９０９  ＣＤ−ＲＯＭドライブ
９１０  ＲＯＭ
９１１  フレキシブルディスク・ドライブ
９１２  入出力チップ
９９１  ネットワーク通信装置
９９２  ＣＤ−ＲＯＭ
９９３  フレキシブルディスク
【図１】
2011193084.tif 000003
【図２】
2011193084.tif 000004
【図３】
2011193084.tif 000005
【図４】
2011193084.tif 000006
【図５】
2011193084.tif 000007
【図６】
2011193084.tif 000008
【図７】
2011193084.tif 000009
【図８】
2011193084.tif 000010
【図９】
2011193084.tif 000011
【図１０】
2011193084.tif 000012
【図１１】
2011193084.tif 000013
【図１２】
2011193084.tif 000014
【図１３】
2011193084.tif 000015
【図１４】
2011193084.tif 000016